(57)【要約】【課題】割勘処理を可能とし、さらに利便性の向上した電子計算機器を提供する。【解決手段】売上金額を確定させると、算出された売上金額が売上金額メモリー３１に記録される。次に割勘を行う顧客の人数を入力して客キーを入力すると、割勘客人数メモリー３３および支払い残客メモリー３６に記憶される。売上金額の一部を割勘売上金額として入力し、割勘キー１３を入力すると、割勘設定メモリー３７に記憶されている割勘金額の最小単位の設定を参照し、入力された金額を割勘客人数メモリー３３に記憶されている人数で割った値を、顧客一人当たりの売上金額として割勘金額メモリー３４に記憶する。割り切れなかった場合は、余り金額を割勘余りメモリー３５に記憶する。各メモリーに数値が記憶された後、顧客ごとの預かり処理を行う。【選択図】      図３
2004348364.tif 000002
【特許請求の範囲】
【請求項１】
少なくとも商品の価格を含む売上データが入力されると、入力された売上データに基づいて売上登録処理を行う登録手段と、
売上登録処理によって算出された売上金額に基づいて、入金処理および釣銭金額算出処理を含む預かり処理を行う預かり手段とを有する電子計算機器であって、
売上金額は、一部売上金額と割勘売上金額とからなり、
前記預かり手段は、前記一部売上金額を売上金額として預かり処理を行う一部預かり手段と、
前記割勘売上金額に対して、入力された人数に基づく割勘処理を行う割勘手段とを有することを特徴とする電子計算機器。
【請求項２】
前記預かり手段は、前記一部売上金額を入力する一部売上金額入力手段と、前記割勘売上金額を入力する割勘売上金額入力手段とを有し、
前記一部売上金額が入力されたときは、一部預かり手段が動作し、売上金額から一部売上金額を減算して割勘売上金額を算出した後、割勘手段が動作し、
前記割勘売上金額が入力されたときは、割勘手段が動作し、売上金額から割勘売上金額を減算して一部売上金額を算出した後、一部預かり手段が動作することを特徴とする請求項１記載の電子計算機器。
【請求項３】
前記割勘手段は、顧客の人数を入力する人数入力手段と、
割勘売上金額を、入力された人数で除算して顧客一人当たりの割勘金額を算出する算出手段と、
前記割勘金額を売上金額として顧客ごとに預かり処理を行う割勘預かり手段とを有することを特徴とする請求項１または２記載の電子計算機器。
【請求項４】
前記割勘手段は、前記算出手段が除算するときの最小単位を設定する設定手段を有することを特徴とする請求項３記載の電子計算機器。
【請求項５】
前記割勘手段は、算出手段が行った除算で生じた余りを売上金額から減算する値引き処理、および割勘預かり手段が預かり処理を行うときに算出手段が行った除算で生じた余りを割勘金額に加算する加算処理のいずれの処理を行うかを選択する選択手段を有することを特徴とする請求項３または４記載の電子計算機器。
【請求項６】
前記割勘金額を記載した領収証を入力された人数分印字する印字手段を有することを特徴とする請求項３〜５のいずれか１つに記載の電子計算機器。
【請求項７】
前記印字手段は、前記一部預かり手段および割勘手段の動作結果を反映したレシートを印字することを特徴とする請求項６記載の電子計算機器。
【発明の詳細な説明】
【０００１】
【発明の属する技術分野】
本発明は、店舗内で売上登録処理を行う電子計算機器に関する。
【０００２】
【従来の技術】
飲食店などでは、顧客グループ当たりの合計支払金額を、そのグループ内の各顧客が個別に支払いを行う、いわゆる割り勘が行われることが多い。割り勘を処理するためには、電子式金銭登録機（ＥＣＲ）やＰＯＳ（Ｐｏｉｎｔ  ｏｆ  Ｓａｌｅｓ）端末機など、店舗内で売上データの登録を行う電子計算機器で一旦合計支払金額を算出し、別途電卓などを用いて顧客１人当たりの支払金額を算出する必要がある。しかし、電子計算機器を使わずに、計算や個別の入金処理をオペレータの判断で行うと、オペレータの負担が大きく、ミスが生じやすいという問題がある。これに対し、割り勘処理に対応した電子計算機器が発明され開示されている。
【０００３】
特許文献１記載の料金精算システムは、入力された人数で合計金額を除算した、いわゆる均等割りの割勘金額を表示部に表示するとともに、レシートに印字することができる。
【０００４】
特許文献２記載の売上データ処理装置は、登録モードと、計算機モードとを切り替え可能で、計算機モードで均等割りの割前勘定を求め、登録モードでキー操作により１人当たりの割前勘定を小計から減算するとともに、この割前勘定を一部入金額として１人分の締め処理を行うことができる。さらに、均等割りで端数が生じた場合は、その端数を割前勘定に加算することができる。
【０００５】
特許文献３記載の割勘電卓は、男女別などのタイプ別の人数や、合計金額を入力すると、タイプごとに適切な適切な徴収金額を算出することができる。さらに、タイプごとの徴収金額の差額が一定以上にならないこと、徴収金額が端数を含まないような単位で切上げられること、徴収後の合計金額が支払うべき金額を大きく越えないことなどの条件を元に計算を行うことができる。
【０００６】
【特許文献１】
特開平１−１７１０９６号公報
【特許文献２】
特開平８−６３６７４号公報
【特許文献３】
特開平９−９７２４０号公報
【０００７】
【発明が解決しようとする課題】
上述のような従来の電子計算機器では、一旦割勘処理を開始すると、他の処理を行うことができないため、他の処理が必要になったときには、やはりオペレータが別途計算するなど、使い勝手が悪くなってしまう。
【０００８】
本発明の目的は、割勘処理を可能とし、さらに利便性の向上した電子計算機器を提供することである。
【０００９】
【課題を解決するための手段】
本発明は、少なくとも商品の価格を含む売上データが入力されると、入力された売上データに基づいて売上登録処理を行う登録手段と、
売上登録処理によって算出された売上金額に基づいて入金処理および釣銭金額算出処理を含む預かり処理を含む預かり処理を行う預かり手段とを有する電子計算機器であって、
売上金額は、一部売上金額と割勘売上金額とからなり、
前記預かり手段は、前記一部売上金額を売上金額として預かり処理を行う一部預かり手段と、
前記割勘売上金額に対して、入力された人数に基づく割勘処理を行う割勘手段とを有することを特徴とする電子計算機器である。
【００１０】
本発明に従えば、登録手段によって、少なくとも商品の価格を含む売上データに基づいて売上登録処理を行い、売上金額を算出し、預かり手段によって、入金処理および釣銭金額算出処理を含む預かり処理を行う。
【００１１】
売上金額は、一部売上金額と割勘売上金額とからなり、一部預かり手段は、一部売上金額を売上金額として預かり処理を行う。割勘手段は、割勘売上金額に対して、入力された人数に基づく割勘処理を行う。
【００１２】
複数人の顧客が料金（売上金額）を支払う場合、必ずしも人数で金額を除算する均等割りを行うとは限らない。たとえば、一人の顧客が他の顧客より多く支払ったり、金券などで一部の金額分を支払う状況などがある。従来の技術では、割勘処理の対象となるのは、売上金額の全額であったため、このような状況では、割勘処理を行うことができない。
【００１３】
これに対して、本発明では、売上金額の一部を、割勘処理の対象となる金額として設定することができるので、利便性を向上させることができる。
【００１４】
また本発明は、前記預かり手段は、前記一部売上金額を入力する一部売上金額入力手段と、前記割勘売上金額を入力する割勘売上金額入力手段とを有し、
前記一部売上金額が入力されたときは、一部預かり手段が動作し、売上金額から一部売上金額を減算して割勘売上金額を算出した後、割勘手段が動作し、
前記割勘売上金額が入力されたときは、割勘手段が動作し、売上金額から割勘売上金額を減算して一部売上金額を算出した後、一部預かり手段が動作することを特徴とする。
【００１５】
本発明に従えば、預かり手段は、前記一部売上金額を入力する一部売上金額入力手段と、前記割勘売上金額を入力する割勘売上金額入力手段とを有している。
【００１６】
一部売上金額が入力されたときは、一部預かり手段が動作し、売上金額から一部売上金額を減算して割勘売上金額を算出した後、割勘手段が動作する。割勘売上金額が入力されたときは、割勘手段が動作し、売上金額から割勘売上金額を減算して一部売上金額を算出した後、一部預かり手段が動作する。
【００１７】
これにより、一部売上金額または割勘売上金額のいずれか一方を入力することで、もう一方の金額が算出されて処理が継続されるので、操作が容易になる。
【００１８】
また本発明は、前記割勘手段は、顧客の人数を入力する人数入力手段と、
割勘売上金額を、入力された人数で除算して顧客一人当たりの割勘金額を算出する算出手段と、
前記割勘金額を売上金額として顧客ごとに預かり処理行う割勘預かり手段とを有することを特徴とする。
【００１９】
本発明に従えば、人数入力手段によって顧客の人数が入力されると、算出手段が、割勘売上金額を、入力された人数で除算して顧客一人当たりの割勘金額を算出する。割勘預かり手段は、この割勘金額を売上金額として顧客ごとに預かり処理を行う。
【００２０】
従来の技術では、割勘処理時に顧客一人当たりの金額は算出されるが、釣銭が必要な場合は、別途計算する必要がある。
【００２１】
これに対して、本発明では、顧客ごとに入金処理や釣銭金額の算出処理などを行うことができるので、利便性を向上させることができる。
【００２２】
また本発明は、前記割勘手段は、前記算出手段が除算するときの最小単位を設定する設定手段を有することを特徴とする。
【００２３】
本発明に従えば、設定手段によって算出手段が除算するときの最小単位が設定される。従来の技術では、除算するときの最小単位は１の位であり、割勘金額を１円単位で処理することになり、釣銭の受け渡しなどが面倒で、時間がかかってしまう。
【００２４】
これに対して本発明は、最小単位を１０の位や１００の位などに設定することができるので、金銭のやり取りを短時間で簡単に行うことができる。
【００２５】
また本発明は、前記割勘手段は、算出手段が行った除算で生じた余りを売上金額から減算する値引き処理、および割勘預かり手段が預かり処理を行うときに算出手段が行った除算で生じた余りを割勘金額に加算する加算処理のいずれの処理を行うかを選択する選択手段を有することを特徴とする。
【００２６】
本発明に従えば、算出手段が行った除算で生じた余りを以下のように扱うことができる。一つは、余りを売上金額から減算する値引き処理であり、もう一つは、割勘預かり手段が預かり処理を行うときに余りを割勘金額に加算する加算処理である。選択手段はこれらの処理のいずれを行うかを選択する。
【００２７】
これにより、生じた余りの扱いに関する計算が設定に基づいて行われるので、オペレータが計算したり、余り分の扱いを記録しておく必要がなく、利便性を向上させることができる。
【００２８】
また本発明は、前記割勘金額を記載した領収証を入力された人数分印字する印字手段を有することを特徴とする。
【００２９】
本発明に従えば、印字手段によって、割勘金額を記載した領収証を入力された人数分印字する。
これにより顧客全員に領収証を発行することができる。
【００３０】
また本発明は、前記印字手段は、前記一部預かり手段および割勘手段の動作結果を反映したレシートを印字することを特徴とする。
【００３１】
本発明に従えば、印字手段は、一部預かり手段および割勘手段の動作結果を反映したレシートを印字する。たとえば、一部売上金額や、割勘金額などをレシートに印字することができる。
【００３２】
【発明の実施の形態】
本発明は、店舗内に設置され、売上げた商品の価格および商品名などを含む売上データが入力されると、価格の合計に基づく売上金額の算出を含む売上登録処理を行い、算出した売上金額に基づいて入金処理、釣銭金額算出処理などを行う電子計算機器である。本発明は、たとえば電子式金銭登録機、ＰＯＳ端末機などで実現される。
【００３３】
図１は、本発明の実施の一形態である電子式金銭登録機（以下「ＥＣＲ」と略称する。）１００の電気的構成を示すブロック図である。ＥＣＲ１００は、中央演算処理装置（以下「ＣＰＵ」と略称する。）１、リードオンリーメモリー（以下「ＲＯＭ」と略称する。）２、ランダムアクセスメモリー（以下「ＲＡＭ」と略称する。）３、モードスイッチ（ＳＷ）４、キーボード５、プリンタ６、表示装置７、ドロア８およびブザー９含んで構成される。ＣＰＵ１は、たとえばマイクロプロセッサなどで実現され、ＥＣＲ１００全体の動作を制御する。ＲＯＭ２は、ＥＣＲ１００の各種動作を制御するプログラムなどを記憶する。ＲＡＭ３には、演算中の値を一時的に記憶したり、各種設定内容を記憶する。モードスイッチ（ＳＷ）４は、ＥＣＲ１００の動作モードを切り替えるためのスイッチである。キーボード５は、オペレータによって操作され、売上登録モードや、設定モードなどでの動作時に、商品の部門コード、金額などの商品データや各種設定データを入力する。プリンタ６は、売上登録結果などをレシートおよびジャーナルに印字する印字手段である。表示装置７は、液晶ディスプレイなどで実現され、売上登録時の商品データや、合計支払金額などを表示する。ドロア８は、硬貨および紙幣を収納する。ブザー９は、操作ミスなどを起こったときにオペレータに報知する。
【００３４】
ＣＰＵ１は、ＲＯＭ２に記憶された制御プログラムに基づいて各処理を行い、ＣＰＵ１に接続された前述の各装置とデータの授受を行い、ＥＣＲ１００全体を統括して制御する。
【００３５】
図２は、モードスイッチ４およびキーボード５を備える入力パネル１０の外観図である。オペレータなどが所持するキーを，モードスイッチ４の鍵穴１８に差し込み、モードスイッチ４を所望する位置に回すことによって、ＥＣＲの動作モードを切り換えることができる。ＥＣＲ１００の動作モードにおいて、「切」モードは装置の停止状態を示し、「設定」モードは、店舗内で取り扱われる商品の部門コード、商品名、単価などを入力して設定するためのプログラム動作状態を示す。「時刻」モードは時刻の設定変更を可能とする時刻設定状態を示す。「登録」モードは売上登録を含む各種登録処理を可能とする動作状態を示す。「管理」モードはＥＣＲ１００の管理に必要な情報の入出力を行う動作状態を示し、「点検／精算」モードはＥＣＲ１００の売上高を日計／月計で点検／精算を行う動作状態を表す。
【００３６】
キーボード５は、置数キー１１、部門キー１２、割勘キー１３、領収書キー１４、客キー１５、小計キー１６および現金キー１７を有する。置数キー１１は、数値を置数するときに使用され、複数の部門キー１２は、商品の登録時に商品の所属部門を指定する。小数点キー、Ｘキー、小計キーは、数値を置数、計算するときに用いられるが、後述するように設定のときにも用いられる。割勘キー１３および客キー１５は登録モードでの動作時に割勘計算を行うときに使用する。領収証キー１４は領収証を発行するときに使用され、小計キー１６は顧客が支払いを行う際に売上の小計金額を表示するときに使用する。現金キー１７は、顧客の支払いを現金で入金する際に使用する。その他図示しないが各種の機能キーが設けられている。
【００３７】
図３は、ＲＡＭ３内部のメモリー構成を示す図である。
売上登録に関するメモリーとして、商品の売上金額がセットされている「売上金額メモリー」３１や残額がセットされる「残額メモリー」３２がある。また、割勘計算に関するメモリーとして、顧客の人数をセットする「割勘人数メモリー」３３、割勘計算後の一人当たりの割勘金額がセットされる「割勘金額メモリー」３４や余り金額がセットされる「割勘余りメモリー」３５、と割勘の預かり処理時に支払残客の人数をセットする「支払残客メモリー」３６がある。
【００３８】
さらに、割勘計算の方式を決定する為の、「割勘設定メモリー」３７があり、このメモリーには、割勘余りの処理方法（“最後の客の預かり処理時に加算する”または“値引する”）および割勘金額の最小単位（１００の位、１０の位または１の位）が、“２”，“１”，“０”といった数値に対応して記憶されている。
【００３９】
ＣＰＵ１、ＲＯＭ２、ＲＡＭ３およびキーボード５は、登録手段、預かり手段を構成する。
【００４０】
図４は、割勘処理に必要な「割勘計算の最小単位」と「割勘計算の余り処理方法」を設定する操作の操作例（キーシーケンス）である。この操作は、商品単価などを設定する操作と同じ設定モードで行われ、その操作を設定操作と呼ぶ。
【００４１】
設定操作は、設定モードで、特定の操作を意味するＪＯＢ番号を入力する事で開始される。ＪＯＢ番号はたとえば、商品単価の設定は「１１００」などの設定内容ごとにユニークな番号が割り当てられている。
【００４２】
ＪＯＢ番号を置数キーで入力した後、入力値が設定操作のＪＯＢ番号である事を示す為、［・］キーと［Ｘ］キーを順に押下する。その後、置数キーから各設定項目に応じた数値を続けて入力する。
【００４３】
割勘処理の設定をする場合は、まず、割勘計算設定に割り当てられているＪＯＢ番号、たとえば「０１１１」を入力し、［・］キーと［Ｘ］キーを順に押下する。続いて２つの数値“Ｍ”、“Ｎ”を入力する。“Ｍ”は、割勘余りの処理方法に関する設定値であり、数値が「１」の場合は、「最後の客の預かり処理時に加算」、「２」の場合は、「売上金額から値引き」が設定される。“Ｎ”は、割勘金額の最小単位に関する設定値であり、数値が「０」の場合は「１の位」、数値が「１」の場合は「１０の位」、数値が「２」の場合は「１００の位」が設定される。最後に、入力した値を確定する為に現金キー１７を押下する。この設定操作が行われると、入力された数値は「割勘設定メモリー」３７の該当する領域に記憶され、割勘処理での処理内容が決定する。
【００４４】
ＣＰＵ１、ＲＯＭ２、ＲＡＭ３およびキーボード５は、設定手段および選択手段を構成する。
【００４５】
図５は、割勘処理時のキー操作例（キーシーケンス）である。図５（ａ）は、売上金額の一部を割勘処理する場合の操作例を示し、図５（ｂ）は、一部預かり後の金額を割勘処理する場合の操作例を示している。
【００４６】
売上金額の一部を割勘処理する場合、売上登録を行い、小計キー１６を入力して売上金額を確定させると、算出された売上合計金額が売上金額メモリー３１に記憶され、表示装置７に表示される。また、同時に売上合計金額が残額メモリー３２に記録される。
【００４７】
次に割勘を行う顧客の人数を入力して客キー１５を入力すると、割勘客人数メモリー３３および支払い残客メモリー３６に記憶される。売上金額の一部を割勘処理したい金額である割勘売上金額として入力し、割勘キー１３を入力すると、割勘設定メモリー３７に記憶されている割勘金額の最小単位の設定を参照し、入力された金額を割勘客人数メモリー３３に記憶されている人数で割った値を、顧客一人当たりの売上金額として割勘金額メモリー３４に記憶する。割り切れなかった場合は、余り金額を割勘余りメモリー３５に記憶する。また、割勘金額、余り金額および割勘する客人数が表示装置７に表示される。
【００４８】
以上のように各メモリーに数値が記憶された後、顧客ごとの預かり処理を行う。割勘預かり処理は、割勘金額メモリー３４に記憶されている金額を売上金額として処理することにより、割勘処理を行わない通常の預かり処理と同様に行うことができる。たとえば、預かり金額を入力すると、預かり金額から割勘金額を引き、釣銭がある場合は、釣銭金額を表示する。割勘キー１３を入力することで、一人分の割勘預かり処理が終了する。このとき、残額メモリー３２に記憶されている金額から割勘金額が減算され、残額メモリー３２の内容が更新される。また、支払残客メモリー３６に記憶されている人数から１が減算され、支払残客メモリー３６の内容が更新される。
【００４９】
割勘金額メモリー３４と割勘余りメモリー３５に記憶されている割勘金額および割勘余り金額が、支払残客メモリー３６に記録されている残り人数とともに表示され、再度上記の預かり処理を行う。
【００５０】
上記の預かり処理を客の人数分繰り返し、支払残客メモリー３６の値が０になった後、割勘キー１３を押下することにより割勘預かり処理を終了する。この時点で残額メモリー３２には売上金額から人数分の割勘金額が減算された金額が記憶されている。
【００５１】
割勘預かり処理の終了後、残額メモリー３２に記されている残金額を売上金額として預かり操作を行う。残金額に対する預かり処理が終了した時点で取引は終了し、レシートが発行される。
【００５２】
次に、一部預かり後の金額を割勘処理する場合、小計キー１６の入力によって売上金額が確定した後、売上金額の一部の金額に対して預かり処理を行う。たとえば、預かり金額を入力して割勘キー１３を入力すると、売上金額から入力された預かり金額を引いた金額が残金額として残額メモリー３２に記憶される。
【００５３】
割勘を行う顧客の人数を入力して客キー１５を入力すると、割勘客人数メモリー３３および支払残客メモリー３６に記憶される。さらに小計キー１６を押下することにより、残額メモリー３２に記憶されている残金額が表示装置７に表示される。その後に割勘キー１３を押下する。これにより割勘設定メモリー３７に記憶されている割勘金額の最小単位の設定を参照し、残額メモリー３２に記憶されている残金額を割勘客人数メモリー３３に記憶されている人数で割った値を、顧客一人当たりの売上金額として割勘金額メモリー３４に記憶する。割り切れなかった場合は、余り金額を割勘余りメモリー３５に記憶する。また、割勘金額、余り金額および割勘する客人数が表示装置７に表示される。
【００５４】
以上のように各メモリーに数値が記憶された後、顧客ごとの預かり処理を行う。割勘預かり処理は、図５（ａ）の場合と同様の処理であるので省略する。
【００５５】
ＣＰＵ１、ＲＯＭ２、ＲＡＭ３およびキーボード５は、一部預かり手段、割勘手段、一部売上金額入力手段、割勘売上金額入力手段、人数入力手段、算出手段割勘預かり手段を構成する。
【００５６】
図６は、割勘処理を行った場合のレシート６０と、人数分の領収証７０の印字例である。図６（ａ）はレシート６０の印字例を示し、図６（ｂ）は領収証７０の印字例を示している。これら例は、２０００円の売上金額に対して、最初に１人が一部の金額として１０００円を支払い、残りを３人が割勘した場合の例である。割勘金額の最小単位は「１の位」、割勘余りの処理方法は、「最後の客の預かり処理時に加算」に設定されている。
【００５７】
レシート６０の上部には、日付やオペレータ名などの一般データ６１が記載され、商品データ６２および合計金額６３が記載される。一人目の支払金額６４として１０００円が記載され、続いて割勘した３人の支払金額６５が記載される。最下部には釣銭金額６６が記載される。
【００５８】
領収証７０は、割勘１３キーの押下後、領収証キー１４を押すことにより、支払を行った人数分発行される。領収証７０ａは、一人目の顧客に対する領収証で、領収証７０ｂ、７０ｃ、７０ｄは割勘した３人の顧客に対する領収証である。各領収証には、「領収証」の文字７１、発行日７２、領収金額７３および店名などの店情報７４が記載される。
【００５９】
図７は、割勘処理時の表示装置７の表示例である。
この例では売上金額１０００円を３人で割勘し、割勘金額の最小単位を「１円」、割勘余りの処理を「最後の客の預かり処理時に加算」と設定している。
【００６０】
画面８０は、売上金額の算出、割勘する顧客人数の入力などが終了した状態を示している。画面上半分には、左から割勘処理中であることを示す「ワリカン」の文字と、割勘金額および余り金額を示す「３３３／１」とが表示される。また画面下半分には、左から、割勘する顧客人数を示す「３ニン」と、売上金額を示す「１０００」とが表示される。なお、割勘金額は、割勘金額メモリー３４に記憶されている金額を表示し、余り金額は、割勘余りメモリー３５に記憶されている金額を表示する。割勘人数は、割勘客人数メモリー３３に記憶されている人数を表示し、売上金額は、売上金額メモリー３１に記憶されている金額を表示する。画面８０が表示された後、一人目の割勘預かり処理を行う。預かり金額が現金で４００円とすると、キーボード５から「４」キー、「０」キー、「０」キー、「現金」キーを押す。
【００６１】
釣銭金額が算出され、画面８１では、画面上半分に釣銭金額を表示していることを示す「ツリ」の文字と、割勘処理中であることを示す「ワリカン」の文字とが表示され、画面下半分に残り人数を示す「３ニン」と、釣銭金額である「６７」が表示される。残り人数は、支払残客メモリー３６に記憶されている人数を表示する。一人目の割勘預かり処理の終了を確定するために、「割勘」キーを入力する。
【００６２】
二人目の割勘預かり処理に移行し、画面８２は、表示項目は画面８０と同じであるが、一人目の処理が終了したので、残り人数は「２ニン」が表示され、残金額は「６６７」が表示される。残金額は、残額メモリー３２に記憶されている金額を表示する。預かり金額が現金で５００円とすると、キーボード５から「５」キー、「０」キー、「０」キー、「現金」キーを押す。
【００６３】
釣銭金額が算出され、画面８３では、画面８１と同じ表示項目であるが、残り人数は「２ニン」が表示され、釣銭金額は「１６７」が表示される。二人目の割勘預かり処理の終了を確定するために、「割勘」キーを入力する。
【００６４】
三人目の割勘預かり処理に移行し、画面８４は、表示項目は画面８０と同じであるが、二人目の処理が終了したので、残り人数は「１ニン」が表示され、残金額は「３３４」が表示される。残金額は、残額メモリー３２に記憶されている金額を表示する。また、割勘余りの処理を「最後の客の預かり処理時に加算」と設定しているので、余り金額を割勘金額に加算し、新たな割勘金額として「３３４」が表示される。預かり金額が現金で４００円とすると、キーボード５から「４」キー、「０」キー、「０」キー、「現金」キーを押す。
【００６５】
釣銭金額が算出され、画面８５では、画面８１と同じ表示項目であるが、残り人数は「１ニン」が表示され、釣銭金額は「６６」が表示される。三人目の割勘預かり処理の終了を確定するために、「割勘」キーを入力する。
【００６６】
全員の割勘預かり処理が終了した（支払残客メモリー３６の記憶内容が「０」となった）ので、割勘処理を終了し、画面８６で「ワリカンシュウリョウ」の文字を表示する。
【００６７】
このように、一人当たりの支払金額や残り人数などが表示装置７に表示されているので、オペレータは表示画面を見ながら操作することができる。
【００６８】
図８は、ＥＣＲ１００における割勘処理を示すフローチャートである。
まずステップＳ１では、割勘処理の対象となる金額“Ａ”と人数“Ｂ”とを設定する。図５（ａ）で説明したような、売上金額の一部の金額を割勘処理の対象としたい場合は、その金額と人数をオペレータがキーボード５から入力することで設定される。図５（ｂ）で説明したような、予め売上金額の一部の金額を支払い、残りの金額を割勘処理の対象とする場合は、残額メモリー３２に記憶されている残金額が割勘処理の対象となる金額であるので、オペレータは人数のみを入力すればよい。
【００６９】
ステップＳ２では、割勘設定メモリー３７に記憶されている割勘金額の最小単位に関する設定を参照し、最小単位がいずれの単位であるかを判断する。最小単位が「１の位」であれば、ステップＳ３に進み、最小単位が「１０の位」であれば、ステップＳ４に進み、最小単位が「１００の位」であれば、ステップＳ５に進む。ステップＳ３では、金額“Ａ”を人数“Ｂ”で除算して、その商を割勘金額“Ｃ”とし、余りを余り金額“Ｄ”とする。算出された割勘金額および余り金額は、それぞれ割勘金額メモリー３４および割勘余りメモリー３５に記憶する。
【００７０】
ステップＳ４では、割勘金額の最小単位が「１０の位」と設定されているので、割勘金額Ｃ＝（Ａ÷Ｂ÷１０の商）×１０とし、余り金額Ｄ＝Ａ−Ｂ×Ｃとする。算出された割勘金額および余り金額は、それぞれ割勘金額メモリー３４および割勘余りメモリー３５に記憶する。
【００７１】
ステップＳ５では、割勘金額の最小単位が「１００の位」と設定されているので、割勘金額Ｃ＝（Ａ÷Ｂ÷１００の商）×１００とし、余り金額Ｄ＝Ａ−Ｂ×Ｃとする。算出された割勘金額および余り金額は、それぞれ割勘金額メモリー３４および割勘余りメモリー３５に記憶する。
【００７２】
ステップＳ６では、割勘設定メモリー３７に記憶されている割勘金額の最小単位に関する設定を参照し、割勘余りの処理がいずれの処理であるかを判断する。「売上金額から値引き」が設定されている場合は、ステップＳ７に進み、「最後の客の預かり処理時に加算」と設定されている場合は、ステップＳ８に進む。
【００７３】
ステップＳ７では、割勘余りメモリー３５に記憶されている金額を０とする。ステップＳ８では、支払残客メモリー３６に記憶されている人数が１であるか否かを判断する。１であればステップＳ９に進み、１でなければステップＳ１０に進む。ステップＳ９では、割勘金額メモリー３４に記憶されている割勘金額に割勘余りメモリー３５に記憶されている余り金額を加算し、新たな割勘金額として記憶する。また、割勘余りメモリー３５に記憶されている金額を０とする。
【００７４】
ステップＳ１０では、割勘金額メモリー３４に記憶されている割勘金額および割勘余りメモリー３５に記憶されている余り金額を表示装置７に表示する。ステップＳ１１では、顧客からの預かり金額がオペレータの操作によって入力される。ステップＳ１２では割勘金額と入力された預かり金額とを比較し、預かり金額が割勘金額以上であるか否かを判断する。預かり金額が割勘金額以上であればステップＳ１３に進み、預かり金額が割勘金額未満であればステップＳ１１に戻る。
【００７５】
ステップＳ１３では、預かり金額から割勘金額を減算し、算出された金額を釣銭金額として表示する。預かり金額と割勘金額とが同額の場合も、釣銭金額として０を表示する。ステップＳ１４では、支払残客メモリー３６に記憶されている人数から１を引いて新たな人数を記憶する。ステップＳ１５では、支払残客メモリー３６に記憶されている人数が０であるか否かを判断し、０であれば処理を終了し、０でなければステップＳ６に戻る。
【００７６】
【発明の効果】
以上のように本発明によれば、売上金額の一部を、割勘処理の対象となる金額として設定することができるので、利便性を向上させることができる。
【００７７】
また本発明によれば、一部売上金額または割勘売上金額のいずれか一方を入力することで、もう一方の金額が算出されて処理が継続されるので、操作が容易になる。
【００７８】
また本発明によれば、顧客ごとに入金処理や釣銭金額の算出処理などを行うことができるので、利便性を向上させることができる。
【００７９】
また本発明によれば、最小単位を設定することができるので、金銭のやり取りを短時間で簡単に行うことができる。
【００８０】
また本発明によれば、生じた余りの扱いに関する計算が設定に基づいて行われるので、オペレータが計算したり、余り分の扱いを記録しておく必要がなく、利便性を向上させることができる。
【００８１】
また本発明によれば、顧客全員に領収証を発行することができる。
また本発明によれば、一部売上金額や、割勘金額などをレシートに印字することができる。
【図面の簡単な説明】
【図１】本発明の実施の一形態である電子式金銭登録機１００の電気的構成を示すブロック図である。
【図２】モードスイッチ４およびキーボード５を備えるスイッチ入力パネル１０の外観図である。
【図３】ＲＡＭ３内部のメモリー構成を示す図である。
【図４】「割勘計算の最小単位」と「割勘計算の余り処理方法」を設定する操作の操作例（キーシーケンス）である。
【図５】割勘処理時のキー操作例（キーシーケンス）である。
【図６】割勘処理を行った場合のレシート６０と、人数分の領収証７０の印字例である。
【図７】割勘処理時の表示装置７の表示例である。
【図８】ＥＣＲ１００における割勘処理を示すフローチャートである。
【符号の説明】
１  中央演算処理装置（ＣＰＵ）
２  リードオンリーメモリー（ＲＯＭ）
３  ランダムアクセスメモリー（ＲＡＭ）
４  モードスイッチ（ＳＷ）
５  キーボード
６  プリンタ
７  表示装置
８  ドロア
９  ブザー
１０  入力パネル
１１  置数キー
１２  部門キー
１３  割勘キー
１４  領収書キー
１５  客キー
１６  小計キー
１７  現金キー
３１  売上金額メモリー
３２  残額メモリー
３３  割勘人数メモリー
３４  割勘金額メモリー
３５  割勘余りメモリー
３６  支払残客メモリー
１００  電子式金銭登録機（ＥＣＲ）
【図１】
2004348364.tif 000003
【図２】
2004348364.tif 000004
【図３】
2004348364.tif 000005
【図４】
2004348364.tif 000006
【図５】
2004348364.tif 000007
【図６】
2004348364.tif 000008
【図７】
2004348364.tif 000009
【図８】
2004348364.tif 000010